(57)【要約】      （修正有）【課題】ストロークの正確性に悪影響を与えることがないとともに、ゴミや水分が付着していても立ったままで確実にゴルフボールを拾い上げることができるパターヘッドを有するゴルフパターを提供する。【解決手段】ホールカップに挿入可能な大きさを有するパターヘッド２の底面１３に有底孔である保持孔５を凹設したゴルフパターであって、底面１３上に形成された保持孔５の開口面は、ゴルフボール２０の直径部位を開口面付近の保持孔５の内側壁で押圧して挟持可能な大きさを有し、保持孔５の深さは、ゴルフボール２０の半径よりも長い。【選択図】図４
0003146587.tif 000002
【実用新案登録請求の範囲】
【請求項１】
ホールカップに挿入可能な大きさを有するパターヘッドの底面に有底孔を凹設したゴルフパターであって、
前記底面上に形成された前記有底孔の開口面は、ゴルフボールの直径部位を前記開口面付近の前記有底孔の内側壁で押圧して挟持可能な大きさを有し、
前記有底孔の深さは、前記ゴルフボールの半径よりも長いことを特徴とするゴルフパター。
【請求項２】
前記パターヘッドは、平面視Ｄ型形状の外形を有し、
前記有底孔の開口面は、目玉状に形成され、その目玉状の一側は、前記Ｄ型形状の外形曲線に沿って僅か内側に形成され、
前記ゴルフボールは、前記目玉状の開口面の中央部分にて前記有底孔の内側壁に挟持され、
前記目玉状の開口面近傍の内側壁におけるゴルフボール挟持部位間の距離は、前記ゴルフボールの直径より僅かに小さいことを特徴とする請求項１記載のゴルフパター。
【考案の詳細な説明】
【技術分野】
【０００１】
本考案は、ゴルフパターに関し、特に、ゴルフパターのヘッドに関する。
【背景技術】
【０００２】
従来から、ホールインしたゴルフボールをカップから取り出したり、練習グリーン上にあるゴルフボールを拾い上げたりする動作は、腰をかがめるとともに、腕を下方に伸ばしてゴルフボールを拾い上げる必要があるため、腰痛持ちや高齢者のプレーヤーにとっては苦痛を伴う動作であった。また、腰痛持ちや高齢者のプレーヤーでなくても、腰をかがめてゴルフボールを拾い上げる動作を面倒に感じるプレーヤーも存在する。
【０００３】
そのため、腰をかがめることなく、立ったままゴルフボールを拾い上げることができるゴルフパターが知られている（例えば、特許文献１、２参照）。このゴルフパターは、パターヘッドの後部にゴルフボールを嵌合可能な貫通孔を形成し、この貫通孔をゴルフボールに押し当てて、貫通孔の内周面がゴルフボールを保持することにより、立ったままでゴルフボールを拾い上げるようにしている。
【０００４】
【特許文献１】特開平１０−３０５１１９号公報
【特許文献２】特開２００１−２２４７１５号公報
【考案の開示】
【考案が解決しようとする課題】
【０００５】
ところで、ゴルフパターの最も重要な機能は、グリーン上にあるゴルフボールを的確にヒットしてホールカップに入れる正確性にある。したがって、ゴルフパターには、当然のこととして、パッティング時のストロークの安定性を高めることやフェース面の方向性を高めることが求められている。
【０００６】
しかしながら、上述したパターヘッドに貫通孔を形成したゴルフパターにおいては、ストローク時に、パターヘッドに形成された貫通孔より、グリーン上の芝が目に入るため、ゴルフパターを正しい方向に向けることやゴルフパターを正しい軌道でストロークすることに狂いが生じ、ゴルフボールを意図するところへヒットすることができない可能性がある。すなわち、この場合には、芝の形状や色など芝の状態は、場所が違えばすべて微妙に異なっているため、ストローク中に目に飛び込むこの芝の状態の変化が、ストロークする前に決めたプレーヤーの感覚に微妙な変化を与え、ストロークの正確性を欠く要因になるという問題がある。
【０００７】
また、上述したパターヘッドに貫通孔を形成したゴルフパターにおいては、貫通孔の内壁がゴルフボールの中心よりも上方位置の外周部分を保持しているので、ゴルフボールにゴミや水分が付着している場合には、保持力が十分でなく、場合によってはゴルフボールを拾い上げることができないという問題もある。
【０００８】
本考案は上記の事情を鑑みてなされたものであり、ストロークの正確性に悪影響を与えることがないとともに、ゴミや水分が付着していても立ったままで確実にゴルフボールを拾い上げることができるパターヘッドを有するゴルフパターを提供することを目的とする。
【課題を解決するための手段】
【０００９】
上記の課題を達成するため、本考案は、その一態様として、ホールカップに挿入可能な大きさを有するパターヘッドの底面に有底孔を凹設したゴルフパターであって、前記底面上に形成された前記有底孔の開口面は、ゴルフボールの直径部位を前記開口面付近の前記有底孔の内側壁で押圧して挟持可能な大きさを有し、前記有底孔の深さは、前記ゴルフボールの半径よりも長いことを特徴とする。
【００１０】
本考案の一態様のゴルフパターにおいては、パターヘッドにゴルフボールを挟持する孔が開設されているが、貫通孔ではなく有底孔であるので、プレーヤーは、ストローク時に孔を介してグリーン上の芝が目に入ることがない。したがって、本考案の一態様のゴルフパターは、ストロークの正確性に悪影響を与えることがない。
【００１１】
また、有底孔の開口面は、ゴルフボールの直径部位を開口面付近の有底孔の内側壁で押圧して挟持可能な大きさを有するとともに、有底孔の深さは、ゴルフボールの半径よりも長いので、ゴルフボールを直径部位で確実に保持することができる。したがって、本考案の一態様のゴルフパターは、ゴミや水分が付着していても立ったままで確実にゴルフボールを拾い上げることができる。
【００１２】
また、前記パターヘッドは、平面視Ｄ型形状の外形を有し、前記有底孔の開口面は、目玉状に形成され、その目玉状の一側は、前記Ｄ型形状の外形曲線に沿って僅か内側に形成され、前記ゴルフボールは、前記目玉状の開口面の中央部分にて前記有底孔の内側壁に挟持され、前記目玉状の開口面近傍の内側壁におけるゴルフボール挟持部位間の距離は、前記ゴルフボールの直径より僅かに小さいことを特徴とする。これにより、ゴルフボールがホールカップのどの位置にあっても、確実に挟持してゴルフボールを拾い上げることができる。また、ゴルフボールを挟持した状態においては、目玉状の開口面の両端部には指が入る隙間が形成されるので、挟持したゴルフボールを簡単に取り外すことができる。
【考案の効果】
【００１３】
本考案によれば、ストロークの正確性に悪影響を与えることがないとともに、ゴミや水分が付着していても立ったままで確実にゴルフボールを拾い上げることができるパターヘッドを有するゴルフパターを提供することができる。
【考案を実施するための最良の形態】
【００１４】
以下、本考案の実施の形態を図面を用いて説明する。
【００１５】
図１は、本考案の実施の形態に係るゴルフパター１の外観斜視図、図２は、本考案の実施の形態に係るゴルフパター１のパターヘッド２の平面図、図３は、本考案の実施の形態に係るゴルフパター１のパターヘッド２の背面図、図４は、本考案の実施の形態に係るゴルフパター１のパターヘッド２の底面図である。また、図５は、図２のＡ−Ａ線に沿った断面図であり、図６は、ホールカップ３０内において、ゴルフパター１の保持孔５にゴルフボール２０を嵌め込んだ状態を模式的に示した平面図である。
【００１６】
ゴルフパター１は、マレット型のヘッド形状を有するゴルフパターであり、図１に示すように、パターヘッド２と、一端がパターヘッド２に固定されたシャフト３と、シャフト３の他端に固定されたグリップ４と、を備える。なお、以下においては、図１に示すように、パターヘッド２のフェース面１１側（ゴルフボール２０の進行方向）を前、その反対側を後、パターヘッド２のシャフト取付側を上、地面と接するソール側を下、ゴルフパター１を構えたときの手前側（ヒール）を左、先側（トウ）を右と称して説明を行う。
【００１７】
パターヘッド２は、その外形が平面視Ｄ型形状を有し、上面１２には、図２に示すように、３本の直線からなる目標線１５がフェース面１１に垂直に設けられているとともに、底面（ソール面）１３には、図３及び図４に示すように、ゴルフボール２０を嵌合可能な保持孔５が穿設されている。なお、パターヘッド２の大きさは、ホールカップ３０に余裕（隙間）を持ってパターヘッド２を挿入することができる程度の大きさとなっている（図６参照）。
【００１８】
プレーヤーがパッティングする際には、この上面に設けられた目標線１５を利用して、フェース面１１の方向を決定するとともに、ストローク軌道を決定する。すなわち、目標線１５は、パッティングの正確性を高めるために形成されたものであり、パッティングの方向や力加減を支援するツールとなっている。本実施の形態においては、目標線１５として、フェース面１１に垂直な３本の直線を描いたが、目標線はこのデザインに限定されるものではなく、他のデザインであってもよいのは勿論であり、円形状、Ｔ字状、矩形状などの目標線１５を上面に描くようにしてもよい。
【００１９】
保持孔５は、図３及び図４に示すように、底面１３から凹設された有底孔であり、底面１３に形成された開口面は、左右方向に長く前後方向に短い略目玉状をなしている。その結果、保持孔５は、ゴルフボール２０の直径部位（ゴルフボール２０の表面上におけるゴルフボール２０の直径Ｄの一端及び他端部分）を前後方向に対向する内側壁支持部１６及び１７で挟持して、保持するようになっている。本実施の形態では、保持孔５の内側壁支持部１６及び１７間の距離は、ゴルフボール２０の直径寸法（外径）よりも僅かに小さく形成されているが、ゴルフボール２０は表面に僅かな弾力性を有しているため、ゴルフボール２０をパターヘッド２の保持孔５で押圧することにより、ゴルフボールは若干縮んで保持孔５に挿入され、保持孔に嵌合されるようになっている。
【００２０】
また、保持孔５は、図５に示すように、ゴルフボール２０の上半球が完全に嵌り込む高さ（深さ）を有している。すなわち、保持孔５の上下方向の深さは、ゴルフボール２０の半径よりも長く形成されている。また、保持孔５の開口面付近の内側壁は、図５に示すように、開口面に略垂直な平面となっており、この平面上の内側壁支持部１６及び１７でゴルフボール２０の直径部位を挟持するようになっている。
【００２１】
なお、保持孔５の開口面周縁にはわずかな幅の面取り部１８が形成されているため、ゴルフボール２０は、保持孔５に誘導され、スムースに保持孔５に嵌合されるようになっている。
【００２２】
ここで、本考案の実施の形態に係るゴルフパター１の作用について説明する。ゴルフボール２０がホールカップ３０に入ると、プレーヤーは、まずゴルフパター１のグリップ４を持ち、図６に示すように、パターヘッド２をホールカップ３０に入れて、ゴルフボール２０の上方に保持孔５が位置するようにゴルフパター１を操作する。次いで、ゴルフボール２０をパターヘッド２の保持孔５で押圧すると、ゴルフボール２０は保持孔５に挿入され保持されるので、その状態のままゴルフパター１のパターヘッド２を上方に持ち上げるだけで、プレーヤーは腰をかがめることなく楽な姿勢でゴルフボール２０を拾い上げることができる。そして、プレーヤーはゴルフボール２０が保持された状態の保持孔５に手を挿入してゴルフボール２０を保持孔５から取り出す。この際、本実施の形態では、図４に示すように、保持孔５の開口面左右方向には充分な隙間が形成されているので、指を挿入しやすくなっている。
【００２３】
また、本実施の形態においては、図４に示すように、保持孔５の後方開口面をＤ型の曲線形状に沿って僅か内側（約４ｍｍ）に形成しているので、図６（ａ）に示すように、ゴルフボール２０がホールカップ３０の中央にある場合は勿論、図６（ｂ）に示すようにゴルフボール２０がホールカップ３０の側壁付近にある場合であっても、確実にゴルフボールを挟持して拾い上げることが可能である。すなわち、ホールカップ３０の側壁にパターヘッド２の曲面が形成された後方側面を沿わせて、保持孔５がゴルフボール２０を押圧すれば、ゴルフボールは側壁から保持孔５方向に誘導されるので、保持孔５はゴルフボールを保持することができる。
【００２４】
勿論、上述した動作をホールカップ３０以外のゴルフボール２０に対して行ってもよく、例えば、練習グリーン上のボール２０に対して、腰をかがめずに拾い上げるようにしてもよい。
【００２５】
以上説明したように、本実施の形態に係るゴルフパター１によれば、パターヘッド２にゴルフボール２０を挟持する保持孔５を有底孔として形成しているので、プレーヤーは、ストローク時に保持孔５を介してグリーン上の芝が目に入ることがない。この結果、本実施の形態に係るゴルフパター１によれば、ストロークの正確性に悪影響を与えることがない。
【００２６】
また、本実施の形態に係るゴルフパター１によれば、保持孔５の開口面は、ゴルフボール２０の直径部位を開口面付近の保持孔５の内側壁で押圧して挟持可能な大きさを有するとともに、保持孔５の深さは、ゴルフボール２０の半径よりも長いので、ゴルフボール２０を直径部位で確実に保持することができる。この結果、本実施の形態に係るゴルフパター１によれば、ゴミや水分が付着していたとしても、立ったままで確実にゴルフボールを拾い上げることができる。
【００２７】
また、本実施の形態に係るゴルフパター１によれば、保持孔５の後方開口面をＤ型の曲線形状に沿って僅か内側に形成しているので、ゴルフボール２０がホールカップ３０のどの位置にあっても、確実に挟持してゴルフボール２０を拾い上げることができる。また、保持孔５の開口面は、ゴルフボール２０を挟持した状態において目玉状の両端部に指が入る隙間が形成されているので、挟持したゴルフボール２０を簡単に取り外すことができる。
【００２８】
さらに、本実施の形態に係るゴルフパター１によれば、パターヘッド２の上面１２に目標線１５が描かれているので、目標線１５を利用して、フェース面１１の方向を決定するとともに、ストローク軌道を決定することができるので、ストロークの正確性を向上させることができる。
【００２９】
なお、上記実施の形態のゴルフパター１では、パターヘッド２に穿設された保持孔５を開口面において目玉状に形成したが、保持孔５の開口面における形状は目玉状に限定されるものではない。また、保持孔５の深さ方向の形状も、図３及び図５に示す限りではない。すなわち、保持孔５の内側壁でゴルフボール２０の直径部位を挟持可能とするのであれば、保持孔５の形状はいかなる形状であってもよい。
【００３０】
また、上記実施の形態のゴルフパター１においては、内側壁支持部１６及び１７でゴルフボール２０を挟持するようにしたが、挟持する部位は２箇所に限定されるものではなく、その数はいくつであってもよい。また、挟持する部位の形状も限定されず、点、線、面のいずれで内側壁支持部を形成するようにしてもよい。
【００３１】
以上、本考案の実施の形態について説明してきたが、本考案は、上述した実施の形態に限られるものではなく、本考案の要旨を逸脱しない範囲において、本考案の実施の形態に対して種々の変形や変更を施すことができ、そのような変形や変更を伴うものもまた、本考案の技術的範囲に含まれるものである。
【図面の簡単な説明】
【００３２】
【図１】本考案の実施の形態に係るゴルフパターの外観斜視図である。
【図２】本考案の実施の形態に係るゴルフパターのパターヘッドの平面図である。
【図３】本考案の実施の形態に係るゴルフパターのパターヘッドの背面図である。
【図４】本考案の実施の形態に係るゴルフパターのパターヘッドの底面図である。
【図５】図２のＡ−Ａ線に沿った断面図である。
【図６】ホールカップ内において、本考案の実施の形態に係るゴルフパターの保持孔にゴルフボールを嵌め込んだ状態を模式的に示した平面図である。
【符号の説明】
【００３３】
１  ゴルフパター
２  パターヘッド
３  シャフト
４  グリップ
５  保持孔
１１  フェース面
１２  上面
１３  底面
１５  目標線
１６，１７  内側壁支持部
１８  面取り部
２０  ゴルフボール
３０  ホールカップ
Ｄ  直径
【図１】
0003146587.tif 000003
【図２】
0003146587.tif 000004
【図３】
0003146587.tif 000005
【図４】
0003146587.tif 000006
【図５】
0003146587.tif 000007
【図６】
0003146587.tif 000008